(57)【要約】【課題】表示領域から周辺部に引き出された隣接する同色の画像信号が供給されるソース引出配線の配線負荷の差を低減することができる液晶表示装置を提供する。【解決手段】液晶表示装置１であって、ソース引出配線８は、第１の絶縁層９ａ上で表示領域３から周辺部４に引き出されて第２の絶縁層９ｂを貫通した第１のコンタクトホール１１ａを介して複数の端子１４に電気的に接続された複数の第１のソース引出配線８ａと、複数のソース配線７に電気的に接続されるとともに、表示領域３から周辺部４に引き出されて第１の絶縁層９ａおよび第２の絶縁層９ｂを貫通した第３のコンタクトホール１１ｃを介して複数の端子１４に電気的に接続された複数の第２のソース引出配線８ｂとからなり、平面視して隣接する第１のソース引出配線８ａの間に、２つの第２のソース引出配線８ｂが配置されている。【選択図】図４
2013246229.tif 000002
【特許請求の範囲】
【請求項１】
表示領域に配置された複数のゲート配線と、該複数のゲート配線に交差するように第１の絶縁層を介して配置された複数のソース配線と、該複数のソース配線を覆うように設けられた第２の絶縁層と、前記表示領域の外側の周辺部に形成された、前記複数のソース配線に信号を供給するソース配線駆動回路に電気的に接続される複数の端子と、該複数の端子に電気的に接続されて前記ソース配線駆動回路から前記信号を前記ソース配線に供給する複数のソース引出配線とを備えた液晶表示装置において、
前記ソース引出配線は、一端が前記複数のソース配線に接続されて、他端が前記第１の絶縁層上で前記表示領域から前記周辺部に引き出されて前記第２の絶縁層を貫通した第１のコンタクトホールを介して前記複数の端子に電気的に接続された複数の第１のソース引出配線と、前記第１の絶縁層に覆われた、一端が前記表示領域と前記複数の端子との間に位置する前記第１の絶縁層を貫通した第２のコンタクトホールを介して前記複数のソース配線に電気的に接続されるとともに、他端が前記表示領域から前記周辺部に引き出されて前記第１の絶縁層および前記第２の絶縁層を貫通した第３のコンタクトホールを介して前記複数の端子に電気的に接続された複数の第２のソース引出配線とからなり、平面視して隣接する前記第１のソース引出配線の間に、２つの前記第２のソース引出配線が配置されていることを特徴とする液晶表示装置。
【請求項２】
表示領域に配置された複数のゲート配線と、該複数のゲート配線に交差するように第１の絶縁層を介して配置された複数のソース配線と、該複数のソース配線を覆うように設けられた第２の絶縁層と、前記表示領域の外側の周辺部に形成された、前記複数のソース配線に信号を供給するソース配線駆動回路に電気的に接続される複数の端子と、該複数の端子に電気的に接続されて前記ソース配線駆動回路から前記信号を前記ソース配線に供給する複数のソース引出配線とを備えた液晶表示装置において、
前記ソース引出配線は、一端が前記複数のソース配線に接続されて、他端が前記第１の絶縁層上で前記表示領域から前記周辺部に引き出されて前記第２の絶縁層を貫通した第１のコンタクトホールを介して前記複数の端子に電気的に接続された複数の第１のソース引出配線と、前記第１の絶縁層に覆われた、一端が前記表示領域と前記複数の端子との間に位置する前記第１の絶縁層を貫通した第２のコンタクトホールを介して前記複数のソース配線に電気的に接続されるとともに、他端が前記表示領域から前記周辺部に引き出されて前記第１の絶縁層および前記第２の絶縁層を貫通した第３のコンタクトホールを介して前記複数の端子に電気的に接続された複数の第２のソース引出配線とからなり、平面視して隣接する前記第２のソース引出配線の間に、２つの前記第１のソース引出配線が配置されていることを特徴とする液晶表示装置。
【発明の詳細な説明】
【技術分野】
【０００１】
本発明は、携帯電話、デジタルカメラあるいは携帯型情報端末などの様々な用途に用いられる液晶表示装置に関する。
【背景技術】
【０００２】
液晶表示装置は、互いに対向して配置された一対の透明基板を有しており、表示領域には、複数のゲート配線と、複数のゲート配線に交差するように第１の絶縁層を介して複数のソース配線が配置されており、第２の絶縁層が複数のソース配線を覆うように設けられ、表示領域の外側の周辺部には、複数のソース配線に信号を供給するソース配線駆動回路に電気的に接続される複数の端子が形成されている。そして、複数のソース引出配線は複数の端子に電気的に接続されてソース配線駆動回路から信号をソース配線に供給しており、複数のソース引出配線が、ゲート配線を形成する金属材料とソース配線を形成する金属材料からなり、第１の絶縁層および第２の絶縁層に交互に配置されている。このような液晶表示装置としては、例えば、特許文献１に開示されているものがある。
【先行技術文献】
【特許文献】
【０００３】
【特許文献１】特開２００９−１４５８４９号公報
【発明の概要】
【発明が解決しようとする課題】
【０００４】
しかしながら、特許文献１に開示された液晶表示装置では、複数のソース引出配線から複数のソース配線に供給される画像信号が、例えば、赤色、緑色、青色であったとすると、隣接する同色のソース引出配線は、第１の絶縁層および第２の絶縁層の異なる層で交互に配置されることになり、ソース引出配線がゲート配線を形成する金属材料とソース配線を形成する金属材料で構成され、それぞれの金属材料のシート抵抗が異なるため、隣接する同色のソース引出配線の配線負荷の差が大きくなるという問題点があった。
【０００５】
本発明は、上記の問題点に鑑みてなされたものであり、その目的は、表示領域から周辺部に引き出された隣接する同色の画像信号が供給されるソース引出配線の配線負荷の差を低減することができる液晶表示装置を提供することにある。
【課題を解決するための手段】
【０００６】
本発明の液晶表示装置は、表示領域に配置された複数のゲート配線と、該複数のゲート配線に交差するように第１の絶縁層を介して配置された複数のソース配線と、該複数のソース配線を覆うように設けられた第２の絶縁層と、前記表示領域の外側の周辺部に形成された、前記複数のソース配線に信号を供給するソース配線駆動回路に電気的に接続される複数の端子と、該複数の端子に電気的に接続されて前記ソース配線駆動回路から前記信号を前記ソース配線に供給する複数のソース引出配線とを備えた液晶表示装置において、前記ソース引出配線は、一端が前記複数のソース配線に接続されて、他端が前記第１の絶縁層上で前記表示領域から前記周辺部に引き出されて前記第２の絶縁層を貫通した第１のコンタクトホールを介して前記複数の端子に電気的に接続された複数の第１のソース引出配線と、前記第１の絶縁層に覆われた、一端が前記表示領域と前記複数の端子との間に位置する前記第１の絶縁層を貫通した第２のコンタクトホールを介して前記複数のソース配線に電気的に接続されるとともに、他端が前記表示領域から前記周辺部に引き出されて前記第１の絶縁層および前記第２の絶縁層を貫通した第３のコンタクトホールを介して前記複数の端子に電気的に接続された複数の第２のソース引出配線とからなり、平面視して隣接する前記第１のソース引出配線の間に、２つの前記第２のソース引出配線が配置されていることを特徴とするものである。
【０００７】
また、本発明の液晶表示装置は、表示領域に配置された複数のゲート配線と、該複数のゲート配線に交差するように第１の絶縁層を介して配置された複数のソース配線と、該複数のソース配線を覆うように設けられた第２の絶縁層と、前記表示領域の外側の周辺部に形成された、前記複数のソース配線に信号を供給するソース配線駆動回路に電気的に接続される複数の端子と、該複数の端子に電気的に接続されて前記ソース配線駆動回路から前記信号を前記ソース配線に供給する複数のソース引出配線とを備えた液晶表示装置において、前記ソース引出配線は、一端が前記複数のソース配線に接続されて、他端が前記第１の絶縁層上で前記表示領域から前記周辺部に引き出されて前記第２の絶縁層を貫通した第１のコンタクトホールを介して前記複数の端子に電気的に接続された複数の第１のソース引出配線と、前記第１の絶縁層に覆われた、一端が前記表示領域と前記複数の端子との間に位置する前記第１の絶縁層を貫通した第２のコンタクトホールを介して前記複数のソース配線に電気的に接続されるとともに、他端が前記表示領域から前記周辺部に引き出されて前記第１の絶縁層および前記第２の絶縁層を貫通した第３のコンタクトホールを介して前記複数の端子に電気的に接続された複数の第２のソース引出配線とからなり、平面視して隣接する前記第２のソース引出配線の間に、２つの前記第１のソース引出配線が配置されていることを特徴とするものである。
【発明の効果】
【０００８】
本発明の液晶表示装置によれば、表示領域から周辺部に引き出された隣接する同色の画像信号が供給されるソース引出配線の配線負荷の差を低減することができるという効果を奏する。
【図面の簡単な説明】
【０００９】
【図１】第１の実施の形態に係る液晶表示装置の平面図である。
【図２】図１に示す液晶表示装置のゲート配線、ゲート引出配線の配置を示す平面図である。
【図３】図１に示す液晶表示装置のソース配線、ソース引出配線の配置を示す平面図である
【図４】（ａ）は図１に示す液晶表示装置のＢ部の拡大図、（ｂ）は（ａ）に示すＸ−Ｘ線で切断した断面図である。
【図５】図１に示す液晶表示装置のソース引出配線を説明する説明図である。
【図６】図１に示す液晶表示装置にソース配線駆動回路を搭載してＡ−Ａ線で切断した断面図で、（ａ）は図５に示すＹ−Ｙ線に沿った断面図、（ｂ）は図５に示すＺ−Ｚ線に沿った断面図である。
【図７】第１の実施の形態に係る他の例のソース引出配線部の断面図である。
【図８】（ａ）は第２の実施形態に係る液晶表示装置のソース引出配線部の拡大図、（ｂ）は（ａ）に示すＸ−Ｘ線で切断した断面図である。
【図９】第２の実施の形態に係る他の例のソース引出配線部の断面図である。
【発明を実施するための形態】
【００１０】
＜実施の形態１＞
以下、本発明の第１の実施の形態（実施の形態１という）に係る液晶表示装置１について、図１乃至図７を参照しながら説明する。
【００１１】
実施の形態１に係る液晶表示装置１は、図１乃至図６に示すような構成であり、表示領域３に配置された複数のゲート配線５と、複数のゲート配線５に交差するように第１の絶縁層９ａを介して配置された複数のソース配線７と、複数のソース配線７を覆うように設
けられた第２の絶縁層９ｂと、表示領域３の外側の周辺部４に形成された、複数のソース配線７に信号を供給するソース配線駆動回路１２に電気的に接続される複数の端子１４と、複数の端子１４に電気的に接続されてソース配線動回路１２から信号をソース配線７に供給する複数のソース引出配線８とを備えた液晶表示装置１において、ソース引出配線８は、一端が複数のソース配線７に接続されて、他端が第１の絶縁層９ａ上で表示領域３から周辺部４に引き出されて第２の絶縁層９ｂを貫通した第１のコンタクトホール１１ａを介して複数の端子１４に電気的に接続された複数の第１のソース引出配線８ａと、第１の絶縁層９ａに覆われた、一端が表示領域３と複数の端子１４との間に位置する第１の絶縁層９ａを貫通した第２のコンタクトホール１１ｂを介して複数のソース配線７に電気的に接続されるとともに、他端が表示領域３から周辺部４に引き出されて第１の絶縁層９ａおよび第２の絶縁層９ｂを貫通した第３のコンタクトホール１１ｃを介して複数の端子１４に電気的に接続された複数の第２のソース引出配線８ｂとからなり、平面視して隣接する第１のソース引出配線８ａの間に、２つの第２のソース引出配線８ｂが配置されている。
【００１２】
液晶表示装置１は、図１乃至図６に示すように、互いに対向して配置された一対の透明基板２（２ａ、２ｂ）を備えており、第１の透明基板２ａと第２の透明基板２ｂとの対向する面のうちの第１の透明基板２ａの面の表示領域３には、複数のゲート配線５が配置されている。そして、複数のソース配線７が複数のゲート配線５に交差するように第１の絶縁層９ａを介して配置されている。また、第２の絶縁層９ｂが複数のソース配線７を覆うように設けられている。なお、第１の絶縁層９ａおよび第２の絶縁層９ｂは、例えば、窒化ケイ素、酸化ケイ素等の材料からなる。ゲート配線５とソース配線６との交差部の近傍には薄膜トランジスタが設けられている。また、ゲート配線５またはソース配線７は、例えば、アルミニウム、モリブデン、チタン、ネオジウム、クロム、銅等またはこれらを含む合金からなる。
【００１３】
液晶表示装置１には、ゲート配線駆動回路搭載部１３ａおよびソース配線駆動回路搭載部１３ｂ、フレキシブル基板搭載部１５がそれぞれ周辺部４に設けられている。
【００１４】
そして、液晶表示装置１の表示領域３の外側の周辺部４のゲート配線駆動回路搭載部１３ａには複数の端子（図示せず）が形成されている。複数の端子は、例えば、千鳥配列で形成されている。ゲート配線駆動回路（図示せず）が、複数のゲート配線５にゲート信号を供給するために導電性接合材料を介して複数の端子に電気的に接続される。そして、複数のゲート引出配線６は、複数の端子に電気的に接続されてゲート配線動回路からゲート信号を複数のゲート配線５に供給する。なお、ゲート配線駆動回路は、ゲート配線５にゲート信号を供給するゲート駆動用半導体素子である。
【００１５】
また、液晶表示装置１の表示領域３の外側の周辺部４のソース配線駆動回路搭載部１３ｂには複数の端子１４が形成されている。複数の端子１４は、例えば、千鳥配列で形成されている。複数のソース配線７に画像信号を供給するソース配線駆動回路１２が、複数のソース配線７に画像信号を供給するために導電性接合材料を介して複数の端子１４に電気的に接続される。そして、ソース引出配線８は、複数の端子１４に電気的に接続されてソース配線駆動回路１２から画像信号を複数のソース配線７に供給する。なお、ソース配線駆動回路１２は、ソース配線７に信号を供給するソース駆動用半導体素子である。
【００１６】
ゲート引出配線６は、表示領域３に配置されているゲート配線５に接続されて、液晶表示装置１を駆動するためにゲート電圧が印加される配線である。また、ソース引出配線８は、表示領域３に配置されているソース配線７に接続されて、画像表示をするために画像信号電圧が印加される配線である。
【００１７】
また、ゲート引出配線６またはソース引出配線８は、液晶表示装置１の高精細化に伴い
、線幅も狭くなっており、ゲート引出配線６およびソース引出配線８の線幅は、例えば、２（μｍ）〜１０（μｍ）である。また、ゲート引出配線６またはソース引出配線８は、例えば、０．１（μｍ）〜１（μｍ）の厚みを有している。なお、ゲート引出配線６またはソース引出配線８は、例えば、アルミニウム、モリブデン、チタン、ネオジウム、クロム、銅等またはこれらを含む合金からなる。
【００１８】
さらに、フレキシブル基板搭載部１５には、フレキシブル基板(図示せず)が、ゲート配線駆動回路およびソース配線駆動回路を駆動する電圧を印加するために導電性接合材料を介して接続パッド部に電気的に接続される。
【００１９】
一対の透明基板２は、例えば、ガラス基板、プラスチック基板等の透光性を有する材料からなる。第１の透明基板２ａおよび第２の透明基板２ｂの対向面とは反対の外側面には偏光板（図示せず）が配設され、また、第１の透明基板２ａ側の偏光板の外側には光源装置（図示せず）が配設される。
【００２０】
液晶表示装置１では、図６に示すように、第１の透明基板２ａに設けられた画素電極３ａと第２の透明基板２ｂに設けられた共通電極３ｂとの間で電界を発生させて液晶（図示せず）中の液晶分子の方向を制御する縦電界方式を採用しているが、液晶表示装置１は、この方式に限定されるものではなく、例えば、第１の透明基板２ａに設けられた画素電極および共通電極との間で電界を発生させて液晶中の液晶分子の方向を制御する横電界方式を採用してもよい。
【００２１】
液晶表示装置１は、例えば、第１の透明基板２ａとして画素内に薄膜トランジスタが形成されたアレイ基板および第２の透明基板２ｂとしてカラーフィルタ基板からなる一対のガラス基板からなる透明基板２からなり、一対の透明基板２の周縁部に沿って設けられたシール材１０を介して第１の透明基板２ａと第２の透明基板２ｂとが貼り合わされている。シール材１０の幅は、例えば、３００（μｍ）〜３０００（μｍ）である。なお、一対の透明基板２の間隔、すなわち、アレイ基板とカラーフィルタ基板とのセルギャップは、例えば、２（μｍ）〜８（μｍ）である。
【００２２】
一対の透明基板２のそれぞれの対向面には、図６に示すように、表示領域３に配向処理が施された配向膜３ｃが設けられており、配向膜３ｃ同士の間には液晶が配設されている。配向膜３ｃは、シール材１０から離隔してシール材１０の内側に設けられている。配向膜３ｃは、例えば、ポリイミド樹脂等の材料からなる。また、配向膜３ｃの膜厚は、例えば、０．０４（μｍ）〜０．１（μｍ）である。
【００２３】
また、配向膜３ｃは、液晶の分子を一定方向に配列させるために、ラビング布が設けられたラビングローラを回転させることによって第１の透明基板２ａおよび第２の透明基板２ｂに設けられた配向膜３ｃ上を一定の方向に擦る配向処理が施されている。
【００２４】
第１の透明基板２ａには、図１および図２に示すように、第２の透明基板２ｂと対向する面に、複数のゲート配線５に接続されて表示領域３から周辺部４のゲート配線駆動回路搭載部１３ａまで引き出された複数のゲート引出配線６が所定のパターンで設けられている。すなわち、ゲート引出配線６が表示領域３のゲート配線５から周辺部４に延在して設けられている。
【００２５】
ゲート引出配線６は、図２に示すように、平面視してゲート配線５から周辺部４に向かって設けられている第１のゲート引出パターン６ａ１と第１のゲート引出パターン６ａ１からゲート配線駆動回路搭載部１３ａに向かって設けられている第２のゲート引出パターン６ａ２とからなる。ゲート引出配線６は、ゲート配線５と同時に形成され、例えば、アルミニウム、モリブデン、チタン、ネオジウム、クロム、銅等またはこれらを含む合金からなる。
【００２６】
また、第１の透明基板２ａには、図１および図３に示すように、複数のソース配線７に接続されて表示領域３から周辺部４のソース配線駆動回路搭載部１３ｂまで引き出された複数のソース引出配線８が所定のパターンで設けられている。すなわち、ソース引出配線８は表示領域３のソース配線７から周辺部４に延在して設けられている。
【００２７】
ソース引出配線８は、図３に示すように、平面視してソース配線７から周辺部４に向かって設けられている第１のソース引出パターン８ｃと第１のソース引出パターン８ｃからソース駆動配線回路搭載部１３ｂに向かって設けられている第２のソース引出パターン８ｄとからなる。
【００２８】
液晶表示装置１では、ソース配線駆動回路搭載部１３ｂとフレキシブル基板搭載部１５との間は配線によって電気的に接続されている。そして、ゲート配線駆動回路搭載部１３ａとフレキシブル基板搭載部１５との間を電気的に接続するために、引回配線１６が周辺部４内を引き回されて設けられている。なお、引回配線１６は、ゲート引出配線６と同じ層で設けても異なる層で設けてもよい。また、引回配線１６の線幅は、配線の種類によって異なっており、制御信号系の配線幅は、例えば、２（μｍ）〜５０（μｍ）であり、電源系の配線幅は、例えば、１０（μｍ）〜３００（μｍ）である。また、引回配線１６は、例えば、０．１（μｍ）〜１（μｍ）の厚みを有している。
【００２９】
また、液晶表示装置１では、図１に示すように、引回配線１６は、ゲート配線駆動回路搭載部１３ａとフレキシブル基板搭載部１５との間を引き回される際に周辺部４内で直角に屈曲するように引き回されているが、これに限定されない。引回配線１６は、第１の透明基板２ａの角部の周辺部で斜めに屈曲するように引き回されていてもよい。
【００３０】
液晶表示装置１では、ソース引出配線８は、第１のソース引出配線８ａと第２のソース引出配線８ｂとからなる。そして、複数の第１のソース引出配線８ａは、図４乃至図６に示すように、一端が複数のソース配線７に接続されて、他端が第１の絶縁層９ａ上で表示領域３から周辺部４に引き出されて第２の絶縁層９ｂを貫通した第１のコンタクトホール１１ａを介して複数の端子１４に電気的に接続されている。
【００３１】
第１のコンタクトホール１１ａは導体を内部に有しており、複数の端子１４に電気的に接続されている。第１のコンタクトホール１１ａの内部の導体および複数の端子１４は、例えば、ＩＴＯ等からなり、同時に形成される。また、第１のソース引出配線８ａは、第１の透明基板２ａにソース配線７を形成する際に同一工程で同時に形成することができる。
【００３２】
また、複数の第２のソース引出配線８ｂは、図４乃至図６に示すように、第１の絶縁層９ａに覆われており、一端が表示領域３と複数の端子１４との間に位置する第１の絶縁層９ａを貫通した第２のコンタクトホール１１ｂを介して複数のソース配線７に電気的に接続される。そして、他端が表示領域３から周辺部４に引き出されて第１の絶縁層９ａおよび第２の絶縁層９ｂを貫通した第３のコンタクトホール１１ｃを介して複数の端子１４に電気的に接続されている。
【００３３】
第２のコンタクトホール１１ｂは導体を内部に有しており、複数のソース配線７に電気的に接続されている。第３のコンタクトホール１１ｃは導体を内部に有しており、複数の端子１４に電気的に接続されている。また、第３のコンタクトホール１１ｃの内部の導体および複数の端子１４は、例えば、ＩＴＯ等からなり、同時に形成される。第２のソース
引出配線８ｂは、第１の透明基板２ａにゲート配線５を形成する際に同一工程で同時に形成することができる。第１のソース引出配線８ａはソース配線７と同一材料で形成され、また、第２のソース引出配線８ｂはゲート配線５と同一材料で形成される。例えば、ゲート配線５とソース配線７とで材料が異なると、第１のソース引出配線８ａと第２のソース引出配線８ｂとでは配線抵抗が異なることになる。
【００３４】
液晶表示装置１は、図４乃至図５に示すように、平面視して隣接する第１のソース引出配線８ａの間に、２つの第２のソース引出配線８ｂが配置されている。そして、第２のソース引出配線８ｂは、表示領域３と複数の端子１４との間において、第１の絶縁層９ａに覆われるように設けられている。すなわち、ソース引出配線８は、第１の引出配線８ａが第２の絶縁層９ｂに配置され、第２のソース引出配線８ｂが第１の絶縁層９ａに配置されている。
【００３５】
ここで、複数のソース引出配線８から複数のソース配線７に供給される画像信号が、例えば、赤色、緑色および青色に対応するものとして、赤色に対応する画像信号を第１の信号、緑色に対応する画像信号を第２の信号および青色に対応する画像信号を第３の信号とする。
【００３６】
ソース引出配線８は、図４（ｂ）に示すように、隣接する第３の信号を供給する第１のソース引出配線８ａの間に、第１の信号を供給する第２のソース引出配線８ｂおよび第２の信号を供給する第２のソース引出配線８ｂが配置されている。そして、第１のソース引出配線８ａが第３の信号をソース配線７に供給しており、また、第２のソース引出配線８ｂが第１の信号および第２の信号をソース配線７に供給している。
【００３７】
このように、隣接する第３の信号を供給する第１のソース引出配線８ａは第２の絶縁層９ｂに配置され、隣接する第１の信号を供給する第２のソース引出配線８ｂおよび隣接する第２の信号を供給する第２のソース引出配線８ｂは第１の絶縁層９ａに配置されている。
【００３８】
また、このような第１のソース引出配線８ａおよび第２のソース引出配線８ｂの配置にすることによって、ソース配線駆動回路１２の複数の端子１４との接続パッドが狭ピッチで配列されて周辺部４でのソース引出配線８の配置スペースが狭くなっても、ソース引出配線８の配線間距離の制約が緩和されるので、ソース引出配線８を配置することができる。
【００３９】
また、ソース引出配線８は、図３乃至図６に示すように、表示領域３から周辺部４に向かって平面視してソース配線７から周辺部４に向かって設けられている第１のソース引出パターン８ｃと第１のソース引出パターン８ｃからソース駆動配線回路搭載部１３ｂに向かって設けられている第２のソース引出パターン８ｄとからなっている。第２のソース引出配線８ｂは、表示領域３と複数の端子１４との間に第２のコンタクトホール１１ｂを設けて、第１のソース引出パターン８ｃまたは第２のソース引出パターン８ｄのパターン形状になるように配置すればよい。
【００４０】
したがって、第２のコンタクトホール１１ｂが表示領域３と複数の端子１４との間のどの位置に設けられるかは適宜選択される。すなわち、第２のコンタクトホール１１ｂの形成位置は、隣接する第３の信号を供給する第１のソース引出配線８ａ、隣接する第１の信号を供給する第２のソース引出配線８ｂまたは隣接する第２の信号を供給する第２のソース引出配線８ｂの配線負荷の差が液晶表示装置１において所望される値となるように適宜選択される。
【００４１】
液晶表示装置１では、ソース引出配線８は、図４（ｂ）に示すように、第３の信号をソース配線７に供給する第１のソース引出配線８ａが第１の絶縁層９ａ上に設けられて、隣接する第１のソース引出配線８ａの間に、第１の信号をソース配線７に供給する第２のソース引出配線８ｂおよび第２の信号をソース配線７に供給する第２のソース引出配線８ｂの２つが配置されているが、これに限らない。すなわち、ソース引出配線８が、１つの第１のソース引出配線８ａおよび２つの第２のソース引出配線８ｂとなるように配置されていればよい。
【００４２】
例えば、ソース引出配線８は、図７（ａ）に示すように、第２の信号をソース配線７に供給する第１のソース引出配線８ａが第１の絶縁層９ａ上に設けられて、隣接する第１のソース引出配線８ａの間に、第３の信号をソース配線７に供給する第２のソース引出配線８ｂおよび第１の信号をソース配線７に供給する第２のソース引出配線８ｂの２つが配置されていてもよい。また、ソース引出配線８は、図７（ｂ）に示すように、第１の信号をソース配線７に供給する第１のソース引出配線８ａが第１の絶縁層９ａ上に設けられて、隣接する第１のソース引出配線８ａの間に、第２の信号をソース配線７に供給する第２のソース引出配線８ｂおよび第３の信号をソース配線７に供給する第２のソース引出配線８ｂの２つが配置されていてもよい。
【００４３】
液晶表示装置１では、ソース引出配線８が、平面視して隣接する第１のソース引出配線８ａの間に、２つの第２のソース引出配線８ｂが配置されている。これによって、ソース引出配線８は、第１のソース引出配線８ａが第２の絶縁層９ｂに配置され、第２のソース引出配線８ｂが第１の絶縁層９ａにそれぞれ配置される。例えば、隣接する第１の信号を供給するソース引出配線８が第１の絶縁層９ａおよび第２の絶縁層９ｂで交互に配置されると、ソース引出配線８はゲート配線５を形成する金属材料とソース配線７を形成する金属材料とで交互に構成されて配置されるため、それぞれの金属材料のシート抵抗値が異なり、隣接する第１の信号を供給するソース引出配線８の配線負荷の差が大きくなる。
【００４４】
しかしながら、隣接する第３の信号を供給する第１のソース引出配線８ａは、第２の絶縁層９ｂに配置されてソース配線７と同一材料で形成されるので配線負荷の差を低減することができる。また、隣接する第２の信号を供給する第２のソース引出配線８ｂは、第１の絶縁層９ａに配置されてゲート配線５と同一材料で形成されるので配線負荷の差を低減することができる。そして、隣接する第３の信号を供給する第２のソース引出配線８ｂは、第１の絶縁層９ａに配置されてゲート配線５と同一材料で形成されるので配線負荷の差を低減することができる。
【００４５】
これによって、液晶表示装置１は、隣接する第１のソース引出配線８ａの間に、２つの第２のソース引出配線８ｂを配置することによってソース配線７に画像表示信号を書き込めるので、ソース引出配線８を第１の絶縁層９ａおよび第２の絶縁層９ｂに交互に配置してソース配線７に画像表示信号を書き込むよりも書き込み電位の差を低減することができる。したがって、液晶表示装置１の表示品位を向上させることができる。
【００４６】
また、第２のソース引出配線８ｂは、第１の透明基板２ａにゲート配線５と同一材料でもって同一工程で同時に形成することができるので、製造プロセスを増加せずに配線負荷の差を低減することができる。
【００４７】
本発明は上述の第１の実施の形態に限定されるものではなく、本発明の要旨を逸脱しない範囲において種々の変更、改良等が可能である。以下、第２の実施の形態について説明する。なお、第２の実施の形態に係る液晶表示装置のうち、第１の実施形態に係る液晶表示装置１と同様な部分については、同一の符号を付して適宜説明を省略する。
【００４８】
＜実施の形態２＞
以下、本発明の第２の実施の形態（実施の形態２という）に係る液晶表示装置１Ａについて、図８乃至図９を参照しながら説明する。
【００４９】
実施の形態２に係る液晶表示装置１Ａは、図８乃至図９に示すような構成であり、表示領域３に配置された複数のゲート配線５と、複数のゲート配線５に交差するように第１の絶縁層９ａを介して配置された複数のソース配線７と、複数のソース配線７を覆うように設けられた第２の絶縁層９ｂと、表示領域３の外側の周辺部４に形成された、複数のソース配線７に信号を供給するソース配線駆動回路１２に電気的に接続される複数の端子１４と、複数の端子１４に電気的に接続されてソース配線駆動回路１２から信号をソース配線７に供給する複数のソース引出配線８とを備えた液晶表示装置１において、ソース引出配線８は、一端が複数のソース配線７に接続されて、他端が第１の絶縁層９ａ上で表示領域３から周辺部４に引き出されて第２の絶縁層９ｂを貫通した第１のコンタクトホール１１ａを介して複数の端子１４に電気的に接続された複数の第１のソース引出配線８ａと、第１の絶縁層９ａに覆われた、一端が表示領域３と複数の端子１４との間に位置する第１の絶縁層９ａを貫通した第２のコンタクトホール１１ｂを介して複数のソース配線７に電気的に接続されるとともに、他端が表示領域３から周辺部４に引き出されて第１の絶縁層９ａおよび第２の絶縁層９ｂを貫通した第３のコンタクトホール１１ｃを介して複数の端子１４に電気的に接続された複数の第２のソース引出配線８ｂとからなり、平面視して隣接する第２のソース引出配線８ｂの間に、２つの第１のソース引出配線８ａが配置されている。
【００５０】
液晶表示装置１Ａでは、図８に示すように、平面視して隣接する第２のソース引出配線８ｂの間に、２つの第１のソース引出配線８ａが配置されている。そして、第２のソース引出配線８ｂは、表示領域３と複数の端子１４との間において、第１の絶縁層９ａに覆われるように設けられている。すなわち、ソース引出配線８は、第１の引出配線８ａが第２の絶縁層９ｂに配置され、第２のソース引出配線８ｂが第１の絶縁層９ａに配置されている。
【００５１】
ソース引出配線８は、図８（ｂ）に示すように、隣接する第３の信号を供給する第２のソース引出配線８ｂの間に、第１の信号を供給する第１のソース引出配線８ａおよび第２の信号を供給する第１のソース引出配線８ａが配置されている。そして、第１のソース引出配線８ａが第１の信号および第２の信号をソース配線７に供給しており、また、第２のソース引出配線８ｂが第３の信号をソース配線７に供給している。
【００５２】
このように、隣接する第１の信号を供給する第１のソース引出配線８ａおよび第２の信号を供給する第１のソース引出配線８ａは第２の絶縁層９ｂに配置され、隣接する第３の信号を供給する第２のソース引出配線８ｂは第１の絶縁層９ａに配置されている。
【００５３】
第２のコンタクトホール１１ｂが表示領域３と複数の端子１４との間のどの位置に設けられるかは適宜選択される。すなわち、第２のコンタクトホール１１ｂの形成位置は、隣接する第１の信号を供給する第１のソース引出配線８ａ、隣接する第２の信号を供給する第１のソース引出配線８ａまたは隣接する第３の信号を供給する第２のソース引出配線８ｂの配線負荷の差が液晶表示装置１Ａにおいて所望される値となるように適宜選択される。
【００５４】
液晶表示装置１Ａでは、ソース引出配線８は、図８（ｂ）に示すように、隣接する第３の信号をソース配線７に供給する第２のソース引出配線８ｂの間に、第１の信号をソース配線７に供給する第１のソース引出配線８ａおよび第２の信号をソース配線７に供給する第１のソース引出配線８ａの２つが配置されているが、これに限らない。すなわち、ソー
ス引出配線８が、２つの第１のソース引出配線８ａおよび１つの第２のソース引出配線８ｂとなるように配置されていればよい。
【００５５】
例えば、ソース引出配線８は、図９（ａ）に示すように、隣接する第１の信号をソース配線７に供給する第２のソース引出配線８ｂの間に、第２の信号をソース配線７に供給する第１のソース引出配線８ａおよび第３の信号をソース配線７に供給する第１のソース引出配線８ａの２つが配置されていてもよい。また、ソース引出配線８は、図９（ｂ）に示すように、隣接する第２の信号をソース配線７に供給する第２のソース引出配線８ｂの間に、第３の信号をソース配線７に供給する第１のソース引出配線８ａおよび第１の信号をソース配線７に供給する第１のソース引出配線８ａの２つが配置されていてもよい。
【００５６】
液晶表示装置１Ａでは、ソース引出配線８が、平面視して隣接する第２のソース引出配線８ｂの間に、２つの第１のソース引出配線８ａが配置されている。これによって、ソース引出配線８は、第１のソース引出配線８ａが第２の絶縁層９ｂに配置され、第２のソース引出配線８ｂが第１の絶縁層９ａにそれぞれ配置される。
【００５７】
したがって、隣接する第１の信号を供給する第１のソース引出配線８ａは、第２の絶縁層９ｂに配置されてソース配線７と同一材料で形成されるので配線負荷の差を低減することができる。また、隣接する第２の信号を供給する第１のソース引出配線８ａは、第２の絶縁層９ｂに配置されてソース配線７と同一材料で形成されるので配線負荷の差を低減することができる。そして、隣接する第３の信号を供給する第２のソース引出配線８ｂは、第１の絶縁層９ａに配置されてゲート配線５と同一材料で形成されるので配線負荷の差を低減することができる。これによって、表示品位を向上させることができる。
【００５８】
本発明は、上述した実施の形態１および２の例に特に限定されるものではなく、本発明の範囲内で種々の変更および改良が可能である。
【符号の説明】
【００５９】
１、１Ａ  液晶表示装置
２  透明基板
２ａ  第１の透明基板
２ｂ  第２の透明基板
３  表示領域
３ａ  画素電極
３ｂ  共通電極
３ｃ  配向膜
４  周辺部
５  ゲート配線
６  ゲート引出配線
６ａ１  第１のゲート引出パターン
６ａ２  第２のゲート引出パターン
７  ソース配線
８  ソース引出配線
８ａ  第１のソース引出配線
８ｂ  第２のソース引出配線
８ｃ  第１のソース引出パターン
８ｄ  第２のソース引出パターン
９ａ  第１の絶縁層
９ｂ  第２の絶縁層
１０  シール材
１１ａ  第１のコンタクトホール
１１ｂ  第２のコンタクトホール
１１ｃ  第３のコンタクトホール
１２  ソース配線駆動回路
１３ａ  ゲート配線駆動回路搭載部
１３ｂ  ソース配線駆動回路搭載部
１４  端子
１５  フレキシブル基板搭載部
１６  引回配線
【図１】
2013246229.tif 000003
【図２】
2013246229.tif 000004
【図３】
2013246229.tif 000005
【図４】
2013246229.tif 000006
【図５】
2013246229.tif 000007
【図６】
2013246229.tif 000008
【図７】
2013246229.tif 000009
【図８】
2013246229.tif 000010
【図９】
2013246229.tif 000011